(57)【要約】【課題】  複数枚の用紙に記入する際に用紙が折れることがないクリップボードの提供。【解決手段】  クリップボード１は、ボード部２と、クリップ部３と、係止部４と、を備えている。ボード部２は載置部２１を備えていて、載置部２１には第１の用紙５１が載置される。クリップ部３は、第１の用紙５１の上に重ねて載置された第２の用紙５２を挟持した状態で、ボード部２に対して回転可能である。係止部４は、第１の用紙５１を載置部２１に係止する。【選択図】図３
2019166750.tif 000002
【特許請求の範囲】
【請求項１】
複数の用紙が載置されるボード部と、
前記ボード部に設けられ、第１の用紙が係止される係止部と、
前記第１の用紙の上に重なる第２の用紙を狭持した状態で、前記ボード部に対して回転可能なクリップ部と、を備えることを特徴とするクリップボード。
【請求項２】
前記クリップ部は、前記ボード部の長手方向に交差する方向に延びる回転軸を中心に回転可能であって、
前記クリップ部は、前記第１の用紙と前記第２の用紙とが重なった状態の初期位置から前記回転軸を中心に２７０°以上回転可能であることを特徴とする請求項１に記載のクリップボード。
【請求項３】
前記ボード部は、前記第１の用紙が載置される載置部を有し、
前記ボード部には、前記載置部に直交する方向に貫通し、前記クリップ部が前記回転軸を中心に２７０°以上回転したときに前記クリップ部の少なくとも一部が挿入される貫通孔が形成されていることを特徴とする請求項２に記載のクリップボード。
【請求項４】
前記クリップ部には、前記第２の用紙の一部が挿入されることにより前記第２の用紙が狭持される狭持溝が形成され、
前記係止部は、前記ボード部の長手方向に平行な中心線に対して対称の位置に複数設けられていることを特徴とする請求項１から３のいずれか１項に記載のクリップボード。
【発明の詳細な説明】
【技術分野】
【０００１】
本発明はクリップボードに関し、特に複数枚の用紙を狭持するクリップボードに関する。
【背景技術】
【０００２】
従来より、用紙を載置するボードと、ボードに取り付けられボードとの間で用紙を挟持するクリップ具と、から構成されるクリップボードが知られている。
【０００３】
このようなクリップボードは、医療機関で患者に向かって問診を行う場合や街頭のアンケート調査などでよく利用される。ボード部に載置された用紙は、クリップ具によってボードとの間に挟持されているためクリップボードを逆さまにしても用紙がボードから外れることがない。
【０００４】
また、下部に滑り止め部が設けられた上側ボードと下側ボードとから構成され、上側ボードと下側ボードとを開いた状態で机の上等に立脚することができるクリップボードが知られている（例えば、特許文献１）。このクリップボードを用いることにより、パソコンにデータ入力するときに作業者のクリップボードの用紙に対する目線とパソコン画面の目線とをほとんど変える必要がなくなり、目や身体の疲労を軽減することができる。
【先行技術文献】
【特許文献】
【０００５】
【特許文献１】実用新案登録第３１３９０７７号
【特許文献２】実用新案登録第３１３０４７３号
【発明の概要】
【発明が解決しようとする課題】
【０００６】
しかしながら、複数枚の用紙に病院の問診票やアンケートを記入する場合には、１枚目を記入後に記入した１枚目の用紙をめくり利き手ではない別の手で押さえた状態で２枚目以降の用紙に記入する必要があった。また、用紙をめくったときに用紙が折れ曲がり折れシワが発生するなどの問題が発生していた。
【０００７】
そこで、本発明は、複数枚の用紙に記入する際に用紙が折れることがないクリップボードを提供することを目的とする。
【課題を解決するための手段】
【０００８】
上記課題を解決するために第１の発明は、複数の用紙が載置されるボード部と、前記ボード部に設けられ、第１の用紙が係止される係止部と、前記第１の用紙の上に重なる第２の用紙を狭持した状態で、前記ボード部に対して回転可能なクリップ部と、を備えることを特徴とするクリップボード。
【０００９】
第２の発明では、第１の発明に記載されたクリップボードであって、前記クリップ部は、前記ボード部の長手方向に交差する方向に延びる回転軸を中心に回転可能であって、前記クリップ部は、前記第１の用紙と前記第２の用紙とが重なった状態の初期位置から前記回転軸を中心に２７０°以上回転可能であることを特徴としている。
【００１０】
第３の発明では、第２の発明に記載されたクリップボードであって、前記ボード部は、前記第１の用紙が載置される載置部を有し、前記ボード部には、前記載置部に直交する方向に貫通し、前記クリップ部が前記回転軸を中心に２７０°以上回転したときに前記クリップ部の少なくとも一部が挿入される貫通孔が形成されていることを特徴としている。
【００１１】
第４の発明では、前記クリップ部には、前記第２の用紙の一部が挿入されることにより前記第２の用紙が狭持される狭持溝が形成され、前記係止部は、前記ボード部の長手方向に平行な中心線に対して対称の位置に複数設けられていることを特徴としている。
【発明の効果】
【００１２】
第１の発明によると、第２の用紙を狭持するクリップ部がボード部に対して回転可能に設けられているため、第１の用紙をクリップボードに保持した状態のまま第２の用紙をめくることができる。これにより、複数枚の用紙に記入する際、第２の用紙を折り曲げることなく第１の用紙に記入することができるため、第２の用紙に折れシワや寄りシワが発生することなく良好な状態を維持することができる。また、第１の用紙を記入するときは、第２の用紙はボード部に対して回転した状態でクリップ部によって保持されているため、利き手でないほうの手で第２の用紙を押さえておく必要がない。これにより、片手でクリップボードを保持し利き手で第１の用紙に記入することができる。さらに、第１の用紙は係止部によってボード部に固定されているため、第１の用紙がボード部からずれることがない。また、複数枚の複写式の用紙に記入する場合には、第２の用紙をクリップ部で挟持してボード部に対して回転させることにより、複写式の第１の用紙及びその下に載置されている複写式の用紙に裏写りしてしまうことを防止できる。
【００１３】
第２の発明によると、クリップ部は、初期位置から２７０°以上回転可能であるため、第２の用紙を挟んだクリップ部をボード部の裏側まで回転させた状態で第１の用紙への記入を行うことができる。これにより、第２の用紙が第１の用紙記入時の妨げになることがない。
【００１４】
第３の発明によると、ボード部には、クリップ部が挿入される貫通孔が形成されているため、クリップ部とボード部とが干渉することなくクリップ部を２７０°以上回転させることができる。
【００１５】
第４の発明によると、係止部が中心線に対称に複数設けられているため、第１の用紙を複数の箇所でボード部に係止することができる。これにより第１の用紙がボード部からずれることを防止できる。
【００１６】
これにより、複数枚の用紙に記入する際に用紙が折れることがないクリップボードを提供することができる。
【図面の簡単な説明】
【００１７】
【図１】本発明の第１の実施の形態によるクリップボードの斜視図。
【図２】本発明の第１の実施の形態によるクリップボードのクリップ部を回転させたときの斜視図。
【図３】本発明の第１の実施の形態によるクリップボードのクリップ部で用紙を狭持した状態で回転したとき斜視図。
【図４】本発明の第１の実施の形態によるクリップボードのクリップ部の回転状態を説明するための側面図。
【図５】本発明の第２の実施の形態によるクリップボードの斜視図。
【発明を実施するための形態】
【００１８】
本発明の第１の実施の形態によるクリップボード１を図１乃至図４に基づき説明する。図中に示すように、前後上下左右方向を定義する。クリップボード１は、複数の用紙５を挟持したまま一番上部に位置する用紙５に記入するためのボードである。
【００１９】
クリップボード１は、ボード部２と、クリップ部３と、係止部４と、から構成される。ボード部２は、矩形であって略平板形状をなし、下方向に窪んだ載置部２１が設けられている。載置部２１は、Ａ４の寸法（上下２９７ｍｍ、左右２１０ｍｍ）よりも大きく、Ａ４の用紙を載置することができる。ボード部２の後端部の左右方向中央には、クリップ部３の回転中心となる回転軸２２が設けられている。回転軸２２は左右方向に延びる軸であって、クリップ部３を貫通し両端がボード部２に回転可能に支承されている。換言すると、回転軸２２はボード部２の長手方向である前後方向に交差する方向に延びている。図３に示すように、ボード部２の載置部２１には、第１の用紙５１が載置される。
【００２０】
図２に示すように、ボード部２の後部であって左右方向略中央部分には、上下方向に貫通する貫通孔２ａが形成されている。貫通孔２ａは略矩形であって、クリップ部３が図１に示す初期状態にあるとき、クリップ部３の少なくとも一部と重複する位置に形成されている。貫通孔２ａの左右方向の幅はクリップ部３よりも僅かに大きく、前後方向の長さはクリップ部３の前後方向の長さよりも短い。貫通孔２ａの後方には、回転軸２２が位置している。
【００２１】
クリップ部３は、波形状の溝である挟持溝３１と、段差部３２と、を備えていて、後端部に回転軸２２が貫通している。挟持溝３１は、クリップ部３の左右方向全幅に亘って形成された溝であり、後方に向かうにつれて上下方向の幅が短くなるように形成される。挟持溝３１は、図１に示す初期状態において、クリップ部３の上下方向略中央部に形成されている。図３に示すように、挟持溝３１に用紙５のうちの一番上に位置する第２の用紙５２を挟持溝３１に挿入することで、クリップ部３が第２の用紙５２を保持することができる。
【００２２】
図２に示すように、段差部３２はクリップ部３の下面に設けられていて、貫通孔２ａとよりも僅かに前後左右方向に小さく、載置部２１と略同一の厚みを備えている。クリップ部３が初期状態にあるときは、段差部３２は貫通孔２ａに挿入されている。
【００２３】
回転軸２２は、クリップ部３との間に所定の抵抗をもって挿入されていて、クリップ部３はボード部２に対して任意の位置を保持することができる。
【００２４】
係止部４は、ボード部２の前後方向に平行な中心線対して対称な位置に２つ設けられている。係止部４は、第１腕部４１と、第２腕部４２と、を備えており、第１腕部４１と第２腕部４２との間に用紙５を挟持することができる。図３に示すように、ボード部２に載置される第１の用紙５１は、左右方向両端部が係止部４にそれぞれ挟持されることによりボード部２に保持される。
【００２５】
次に、図４を参照しながら、ボード部２に対してクリップ部３を回転した状態を説明する。クリップ部３の初期位置を実線で示し、初期位置から回転軸２２を中心に回転させた状態を点線で示す。
【００２６】
クリップ部３を回転軸２２を中心に２７０°以上回転させると、クリップ部３の一部が貫通孔２ａ内部に挿入される。これにより、クリップ部３をボード部２に対して２７０°以上回転させることができる。本実施の形態では、クリップ部３は回転軸２２を中心に初期位置から３５０°程度まで回転させることができる。このとき、クリップ部３の挟持溝３１に挟持されている第２の用紙５２は、ボード部２の裏面に位置している。
【００２７】
このような構成によると、第２の用紙５２を狭持するクリップ部３がボード部２に対して回転可能に設けられているため、第１の用紙５１をクリップボード１に保持した状態のまま第２の用紙５２をめくることができる。これにより、複数枚の用紙に記入する際、第２の用紙５２を折り曲げることなく第１の用紙５１に記入することができるため、第２の用紙５２に折れシワや寄りシワが発生することなく良好な状態を維持することができる。また、第１の用紙５１を記入するときは、第２の用紙５２はボード部２に対して回転した状態でクリップ部３によって保持されているため、利き手でないほうの手で第２の用紙５２を押さえておく必要がない。これにより、片手でクリップボード１を保持し利き手で第１の用紙５１に記入することができる。さらに、第１の用紙５１は係止部４によってボード部２に固定されているため、第１の用紙５１がボード部２からずれることがない。また、複数枚の複写式の用紙に記入する場合には、第２の用紙５２をクリップ部３で挟持してボード部２に対して回転させることにより、複写式の第１の用紙５１及びその下に載置されている複写式の用紙に裏写りしてしまうことを防止できる。
【００２８】
このような構成によると、クリップ部３は、初期位置から２７０°以上回転可能であるため、第２の用紙５２を挟んだクリップ部３をボード部２の裏側まで回転させた状態で第１の用紙５１への記入を行うことができる。これにより、第２の用紙５２が第１の用紙５１記入時の妨げになることがない。
【００２９】
このような構成によると、ボード部２には、クリップ部３が挿入される貫通孔２ａが形成されているため、クリップ部３とボード部２とが干渉することなくクリップ部３を２７０°以上回転させることができる。
【００３０】
このような構成によると、係止部４が中心線に対称に複数設けられているため、第１の用紙５１を複数の箇所でボード部２に係止することができる。これにより第１の用紙５１がボード部２からずれることを防止できる。
【００３１】
次に、本発明の第２の実施の形態について、図５に基づいて説明する。第１の実施の形態と同一の構成については、同一の符号を付し説明を省略する。
【００３２】
クリップボード１０１は、ボード部２と、クリップ部１０３と、係止部１０４と、を備えている。クリップ部１０３には、挟持溝１３１と、段差部３２と、を備えていて、後端部に回転軸２２が貫通している。挟持溝１３１は、クリップ部３の左右方向全幅に亘って形成された溝であり、前端部に当該溝の開口を塞ぐように挟持部１３２が設けられている。挟持部１３２で第１の用紙５１を挟持することにより、第１の用紙５１をクリップ部３に保持する。
【００３３】
係止部１０４は、ボード部２の前後方向に平行な中心線対して対称な位置に２つ設けられている。係止部１０４は、中心線に対して斜めに傾斜したスリットであって、係止部１０４に第２の用紙５２の後角を挿入することにより第２の用紙５２をボード部２に係止することができる。
【００３４】
本発明によるクリップボードは、上述した実施の形態に限定されず、特許請求の範囲に記載された発明の要旨の範囲内で種々の変更が可能である。
【００３５】
上述の実施の形態では、載置部２１はＡ４を載置することができる程度のサイズを備えていたが、これに限定されない。Ａ３用紙（上下２９７ｍｍ、左右４２０ｍｍ）を載置可能なサイズであってもよく、Ａ５用紙（上下：２１０ｍｍ、左右１４８ｍｍ）を載置可能であってもよい。また、載置する用紙の形状に応じて、任意のサイズを選択することができる。
【００３６】
上述の実施の形態では、クリップ部３及び係止部４は１枚の用紙５を保持及び係止していたが、複数枚の用紙を保持及び係止することができる。
【００３７】
上述の実施の形態では、回転軸２２はボード部２の長手方向である前後方向に延びているが、これに限定されない。ボード部２の左右方向端部にクリップ部が設けられていて、回転軸は前後方向に延びる軸であってもよい。
【００３８】
上述の実施の形態では、ボード部２に下方向に窪んだ載置部２１がもうけられていたが、これに限定されない。ボード部は完全に平滑な平面であってもよい。
【００３９】
上述の実施の形態では、クリップ部３に形成された挟持溝３１に用紙を挟むことにより第２の用紙５２をクリップ部３に挟持していたが、第２の用紙５２を挟持することができる形状であれば、これに限定されない。例えば、トーションバネを備えた挟持部によって第２の用紙を挟持してもよい。
【００４０】
上述の実施の形態では、クリップ部３と回転軸２２とは、所定の抵抗を持っていることによりクリップ部３は任意の位置で固定可能であったが、例えばラチェット機構によってクリップ部を任意の位置に固定可能としてもよい。また、クリップ部と回転軸とは抵抗なく自由に回転可能であってもよい。
【符号の説明】
【００４１】
１      クリップボード
２      ボード部
２ａ    貫通孔
３      クリップ部
４      係止部
５      用紙
２１    載置部
２２    回転軸
３１    用紙挟持部
【図１】
2019166750.tif 000003
【図２】
2019166750.tif 000004
【図３】
2019166750.tif 000005
【図４】
2019166750.tif 000006
【図５】
2019166750.tif 000007